Podtech/llm-jp-corpus-v4-ja_patent huggingface dataset:
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
安定した形状の本体（３０１，４０１，５０１）として構成された、電気化学的エネルギー貯蔵装置（１０１，２０１）のための接触要素（２０６）であって、
前記本体が、前記電気化学的エネルギー貯蔵装置の導体（１０３，１０４，２０３，２０４，５０２，６０１，６０２，６０３，６０４）を受容するための、ほぼ平型で角柱形の少なくとも１つの第１窪み（３０２，４０２）と、この第１窪みに対してほぼ垂直に延在する少なくとも１つの第１孔（３０４）とを備える接触要素（２０６）において、
前記本体が、電気的導体（５０８，６０８）を受容するための、ほぼ平型で角柱形の少なくとも１つの第２窪み（４０７）と、この第２窪みに対してほぼ垂直に延在する少なくとも１つの第２孔（４０５）とを備えることを特徴とする接触要素。
【請求項２】
前記本体が、導電性のある少なくとも１つの領域と、電気的に絶縁性のある少なくとも１つの領域とを備えることを特徴とする請求項１に記載の接触要素。
【請求項３】
前記本体が、導電性であることを特徴とする請求項１あるいは２に記載の接触要素。
【請求項４】
請求項１から３のいずれか一項に記載の少なくとも１つの接触要素を有する、電気的構成要素、特に電気化学的エネルギー貯蔵装置を接触させるための構造体において、
少なくとも１つの接触要素の少なくとも１つの第２窪みに、スイッチ要素（５０５，６０５）と接続されている電気的導体（５０９，６０９）があることを特徴とする構造体。
【請求項５】
前記あるいは１つのスイッチ要素が、電気的に絶縁性のあるハウジング（５０４，６０６）に設けられていることを特徴とする請求項４に記載の構造体。
【請求項６】
少なくとも１つの接触要素の前記本体（４０１）と形状接続的に接続されているハウジング（５０４，６０６）内に前記あるいは１つのスイッチ要素（５０５，６０５）が設けられており、前記接触要素の第２窪み（４０７）に、このスイッチ要素と接続されている電気的導体（５０９，６０９）があることを特徴とする請求項４あるいは５に記載の構造体。
【請求項７】
前記あるいは１つのスイッチ要素が、少なくとも１つの半導体構成要素を備えることを特徴とする請求項４から６のいずれか一項に記載の構造体。
【請求項８】
前記あるいは１つのスイッチ要素が少なくとも１つの電気機械的構成要素を備えることを特徴とする請求項４から７のいずれか一項に記載の構造体。
【請求項９】
少なくとも１つの第１および／あるいは第２孔を通って、スタッドボルト（１１０４，１１０５，１１０７）を備える固定手段（１１０４，１１０５，１１０７）がガイドされていることを特徴とする請求項４から８のいずれか一項に記載の構造体。
【請求項１０】
請求項１から３のいずれか一項に記載の接触要素を作るための方法において、
少なくとも１つの第１および／あるいは第２孔がフライス加工されることを特徴とする方法。
【請求項１１】
電気的構成要素、特に電気化学的エネルギー貯蔵装置を接触させるための、あるいは請求項４から９のいずれか一項に記載の構造体を作るための方法において、
前記電気的構成要素の少なくとも１つの接続要素、特に前記電気化学的エネルギー貯蔵装置の導体が、特に請求項１から３のいずれか一項に記載の接触要素の少なくとも１つの第１窪みによって受容されることを特徴とする方法。
【請求項１２】
少なくとも１つの第１および／あるいは第２孔を通って、スタッドボルトを備える固定手段がガイドされ、前記スタッドボルトを締めることによって、電気的導体、特に電気化学的エネルギー貯蔵装置の導体と、接触要素の本体との間の摩擦接続が生じることを特徴とする、請求項９に記載の構造体を作るための、請求項１１に記載の方法。
【請求項１３】
請求項１０から１２のいずれか一項に記載の方法で接触させられる電気的構成要素、特に電気化学的エネルギー貯蔵装置。
【請求項１４】
請求項１０から１２のいずれか一項に記載の方法で作られる電気的構成要素、特に電気化学的エネルギー貯蔵装置を接触させるための構造体。
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
少なくとも１つのガルバニ電池（１、１ａ、１ｂ、１ｃ）を有する電気化学エネルギー貯蔵器であって、
前記ガルバニ電池は構成要素または構成ユニットを内在もしくは外在させており、前記構成要素または構成ユニットは、前記ガルバニ電池の内部で少なくとも局所的な限界温度超過の発生時に、前記ガルバニ電池の内部における熱発生（２、２ａ、２ｂ、２ｃ）の少なくとも一時的な減少、または電池周囲環境への前記電池の熱放散（３、４、５）の少なくとも一時的な増大、あるいはその両方を生じさせることで、前記ガルバニ電池の内部における熱発生は、前記電池の空間的境界を介して行われる前記電池の熱放散レベルにまで低下させられるか、またはそれ以下のレベルにまで低下させられる電気化学エネルギー貯蔵器。
【請求項２】
前記ガルバニ電池の内部で少なくとも局所的な限界温度超過の発生時に、前記ガルバニ電池の内部における熱発生の少なくとも一時的な減少および／または前記電池周囲環境への前記電池の熱放散の少なくとも一時的な増大をもたらす前記構成要素または構成ユニットは、前記ガルバニ電池の内部に存在する化学物質または化学物質の混合物であり、前記化学物質または化学物質の混合物は、好ましくは、前記電池の電気化学的活性要素を形成する、または電気化学的プロセスを促進もしくは可能にする電池要素を形成するいずれかの構造体に配置されることを特徴とする請求項１に記載の電気化学エネルギー貯蔵器。
【請求項３】
前記ガルバニ電池の内部で少なくとも局所的な限界温度超過の発生時に、前記ガルバニ電池の内部における熱発生の少なくとも一時的な減少および／または前記電池周囲環境への前記電池の熱放散の少なくとも一時的な増大をもたらす前記構成要素または構成ユニットは、構造的な構成要素または構成ユニットであり、前記構造的な構成要素または構成ユニットは、好ましくは、センサ信号たとえば前記電池の温度を表す測定信号によって制御され、たとえば物質を放出可能であるか、もしくは、たとえば前記電池内部の物質移動のための移動経路を開閉可能であることを特徴とする請求項１または２に記載の電気化学エネルギー貯蔵器。
【請求項４】
前記ガルバニ電池の内部における熱発生（２、２ａ、２ｂ、２ｃ）の前記少なくとも一時的な減少、または前記電池周囲環境への前記電池の熱放散（３、４、５）の前記少なくとも一時的な増大あるいはその両方は、前記構成要素または前記構成ユニットを通じての、前記ガルバニ電池の内部での少なくとも１つの物質移動、または少なくとも１つの化学反応、あるいは前記物質移動と前記化学反応との少なくとも局所的な作用によって生じる請求項１から３のいずれか１項に記載の電気化学エネルギー貯蔵器。
【請求項５】
前記ガルバニ電池の内部における、少なくとも１つの化学反応または少なくとも１つの物質移動あるいはその両方は、少なくとも局所的に阻止される（１５）ことを特徴とする請求項４に記載の電気化学エネルギー貯蔵器。
【請求項６】
前記ガルバニ電池の内部の熱伝導率は、少なくとも局所的に、一時的または持続的に高められる（１６）ことを特徴とする請求項１から５のいずれか１項に記載の電気化学エネルギー貯蔵器。
【請求項７】
温度の上昇につれて熱伝導率が増大する材料物質が前記ガルバニ電池の内部に収容されていることを特徴とする請求項６に記載の電気化学エネルギー貯蔵器。
【請求項８】
前記ガルバニ電池の内部の熱伝導率は、前記ガルバニ電池の内部の少なくとも１つのヒートポンプによって少なくとも局所的に、一時的または持続的に高められる（１６）ことを特徴とする請求項６または７に記載の電気化学エネルギー貯蔵器。
【請求項９】
前記ヒートポンプは、前記ガルバニ電池の内部で測定された温度を表すセンサ信号によって制御されることを特徴とする請求項８に記載の電気化学エネルギー貯蔵器。
【請求項１０】
少なくとも１つのガルバニ電池を有する電気化学エネルギー貯蔵器の熱的安定化のための方法であって、
前記ガルバニ電池の構成要素または構成ユニットは、前記ガルバニ電池の内部で少なくとも局所的な限界温度超過の発生時に、前記ガルバニ電池の内部における熱発生（２、２ａ、２ｂ、２ｃ）の少なくとも一時的な減少、または電池周囲環境への前記電池の熱放散（３、４、５）の少なくとも一時的な増大あるいはその両方を生じさせることで、前記ガルバニ電池の内部における熱発生を、前記電池の空間的境界を介して行われる前記電池の熱放散レベルにまで低下させる、またはそれ以下のレベルにまで低下させることを特徴とする方法。
【請求項１１】
前記ガルバニ電池の内部における熱発生（２、２ａ、２ｂ、２ｃ）の前記少なくとも一時的な減少、または前記電池周囲環境への前記電池の熱放散（３、４、５）の前記少なくとも一時的な増大あるいはその両方は、前記構成要素または前記構成ユニットを通じての、前記ガルバニ電池の内部での少なくとも１つの物質移動、または少なくとも１つの化学反応、あるいは前記物質移動と前記化学反応との少なくとも局所的な作用によって生じることを特徴とする請求項１０に記載の方法。
【請求項１２】
前記ガルバニ電池の内部における、少なくとも１つの化学反応または少なくとも１つの物質移動あるいはその両方は、少なくとも局所的に阻止される（１５）ことを特徴とする請求項１０または１１に記載の方法。
【請求項１３】
前記ガルバニ電池の内部の熱伝導率は、少なくとも局所的に、一時的または持続的に高められる（１６）ことを特徴とする請求項１０から１２のいずれか１項に記載の方法。
【請求項１４】
前記ガルバニ電池の内部の熱伝導率は、温度の上昇につれて熱伝導率が増大する前記ガルバニ電池の内部の材料物質によって少なくとも局所的に、一時的または持続的に高められる（１６）ことを特徴とする請求項１３に記載の方法。
【請求項１５】
前記ガルバニ電池の内部の熱伝導率は、前記ガルバニ電池の内部のヒートポンプによって少なくとも局所的に、一時的または持続的に高められる（１６）ことを特徴とする請求項１３または１４に記載の方法。
【請求項１６】
前記ヒートポンプは、前記ガルバニ電池の内部で測定された温度を表すセンサ信号によって制御されることを特徴とする請求項１５に記載の方法。
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
電極スタック（４）と、前記電極スタック（４）を少なくとも部分的に包囲する外装体（５）と、前記電極スタック（４）の少なくとも一部と導電結合しているとともに前記外装体（５）から延び出ている少なくとも１つの集電体（３）とを備えている電気化学電池（２）であって、前記電気化学電池（２）には面ファスナー（７）のファスナー部が取り付けられている電気化学電池において、
前記面ファスナー（７）の前記ファスナー部は一連の金属製ファスナー要素、特に金属製フック（８）または金属製ループ（９）によって形成されており、
前記ファスナー要素（８，９）の間に間隙が形成され、前記間隙内に温度制御要素として、特に冷却筒体（１２）または冷却マットが配置されていることを特徴とする電気化学電池。
【請求項２】
前記面ファスナー（７）のファスナー部は前記電気化学電池（２）の前記外装体（５）に取り付けられ、特に前記電気化学電池の前記外装体と一体的に形成されていることを特徴とする請求項１に記載の電気化学電池。
【請求項３】
前記面ファスナー（７）のファスナー部は前記集電体（３）に取り付けられ、特に前記電気化学電池（２）の集電体（３）と一体的に形成されていることを特徴とする請求項１または２に記載の電気化学電池。
【請求項４】
前記面ファスナー（７）のファスナー部は前記電気化学電池に対する打ち出し加工、特に前記集電体（３）または前記外装体の打ち出し加工によって形成されていることを特徴とする請求項１から３のいずれか１項に記載の電気化学電池。
【請求項５】
請求項１から４のいずれか１項に記載の、少なくとも１個の電気化学電池（２）、特に２個以上の電気化学電池（２）を有するバッテリーユニット。
【請求項６】
少なくとも２個の電気化学電池（２）が前記面ファスナー（７）によって相互にファスナー結合されており、特にもっぱら前記面ファスナー（７）によって相互にファスナー結合されていることを特徴とする請求項５に記載のバッテリーユニット。
【請求項７】
少なくとも１枚の熱伝導板（１０）が面ファスナー（７）によって電気化学電池（２）同士を結合するように、特に第１の面ファスナー（７１）によって第１の電気化学電池（２）に結合され、第２の面ファスナー（７２）によって第２の電気化学電池（２）に結合されていることを特徴とする請求項５または６に記載のバッテリーユニット。
【請求項８】
前記第１の面ファスナー（７１）のファスナー要素（８１）は第１の方向への前記熱伝導板（１０）の打ち出しによって形成され、前記第２の面ファスナー（７２）のファスナー要素（８２）は第２の方向への前記熱伝導板（１０）の打ち出しによって形成されていることを特徴とする請求項７に記載のバッテリーユニット。
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
複数の画像を検索するコンピューターにより実施される方法であって、
画像を含む検索クエリーを受信するステップと、
コンピューティングデバイスが、前記検索クエリーに基づいて複数の第１の記述子識別子を識別するステップであって、前記第１の記述子識別子の各々は、前記画像内のそれぞれの関心のある点を含む前記画像の画素のサブセットを含む前記画像のそれぞれの部分を記述するそれぞれの記述子に対応する、ステップと、
前記第１の記述子識別子の１つ又は複数を複数のインデックス付き画像の各々に関連付けられる１つ又は複数の第２の記述子識別子と比較することにより、前記複数のインデックス付き画像を検索するステップと、
前記第１の記述子識別子の１つ又は複数と一致するしきい値の数の記述子識別子を各々が有する、１つ又は複数のインデックス付き画像を識別するステップと、
前記比較に基づいて前記１つ又は複数のインデックス付き画像をランク付けするステップと
を含む方法。
【請求項２】
前記検索クエリーは１つ又は複数のテキストの単語を含む請求項１に記載のコンピューターにより実施される方法。
【請求項３】
1つ又は複数の候補画像が検索エンジンの逆索引から識別され、前記逆索引は、前記複数のインデックス付き画像の各々について前記第２の記述子識別子が各インデックス付き画像の前記第２の記述子識別子に続くドキュメント終了識別子とともに連続してリストされるフラットインデックス位置空間に基づき、各第２の記述子識別子及びドキュメント終了識別子は、前記フラットインデックス位置空間におけるそれぞれの位置を示す位置識別子を含む請求項1に記載のコンピューターにより実施される方法。
【請求項４】
前記少なくとも１つの第１の記述子識別子を複数のインデックス付き画像の各々に関連付けられる１つ又は複数の第２の記述子識別子と比較することにより前記複数のインデックス付き画像を検索するステップは、
最低値を備えた位置識別子を有する所定の数の第２の記述子識別子を識別するために前記インデックスを検討するステップと、
前記最低の位置識別子値を有する前記所定の数の第２の記述子識別子の最大の位置識別子値に続くドキュメント終了位置識別子を識別するステップと、
前記ドキュメント終了位置識別子によって識別される候補インデックス付き画像についてドキュメント開始位置の値を識別するステップと、
前記最低の位置識別子値を有するすべての前記所定の数の記述子識別子の位置識別子が前記ドキュメント開始位置の値以上である場合に、前記候補インデックス付き画像を候補画像として返すステップ、又は
前記最低の位置識別子値を有する前記所定の数の第２の記述子識別子のうちの１つ又は複数についての位置識別子が前記ドキュメント開始位置の値未満である場合に、前記所定の数の第２の記述子識別子のうちの１つ又は複数のうちの少なくとも１つについてのドキュメント開始位置の値より小さい次の最低の位置識別子値を識別するステップと
をさらに含む請求項３に記載のコンピューターにより実施される方法。
【請求項５】
前記所定の数の第２の記述子識別子は、候補画像のグループにおける候補画像についての一致する第２の記述子識別子の最小の総数に基づいて増加させられる請求項４に記載のコンピューターにより実施される方法。
【請求項６】
前記検索クエリーはテキストの単語を含み、前記少なくとも１つの第１の記述子識別子を識別するステップは、前記テキストの単語に関連付けられる１つ又は複数の記述子識別子を識別するステップを含む請求項１に記載のコンピューターにより実施される方法。
【請求項７】
実行されるとコンテンツベースの画像検索のために画像の内容の表現を生成する方法を実行するコンピューター読み取り可能な命令がその上に具体化された1つ又は複数のコンピューター読み取り可能な記憶媒体であって、前記方法は、
画像を受信するステップと、
前記画像内の複数の関心のある点を識別するステップであって、各々の関心のある点は、前記複数の関心のある点を識別するために前記画像を分析するように動作するオペレーターアルゴリズムによって識別される前記画像内の点、領域、又はエリアのうちの１つを含む、ステップと、
前記複数の関心のある点に関連付けられる１つ又は複数のメトリックに基づいてさらなる処理のために関心のある点のサブセットを選択するステップと、
それぞれの関心のある点を含む前記画像の画素のサブセットを含む領域を含む、前記関心のある点のサブセット内の各々の関心のある点について画像パッチを決定するステップと、
各パッチについて記述子を決定するステップと、
各記述子を記述子識別子にマッピングするステップと、
前記マッピングに基づいて前記画像を記述子識別子の組として表すステップと
を含むコンピューター読み取り可能な記憶媒体。
【請求項８】
前記画像の記述子識別子にインデックスを付けるステップをさらに含む請求項７に記載のコンピューター読み取り可能な媒体。
【請求項９】
すべての前記パッチを同じサイズで提供するために、前記関心のある点の各々について前記画像パッチを正規化するステップをさらに含む請求項７に記載のコンピューター読み取り可能な媒体。
【請求項１０】
前記パッチが前記関心のある点の中心にあり、前記パッチのサイズが前記オペレーターアルゴリズムの出力から決定される請求項７に記載のコンピューター読み取り可能な媒体。
【請求項１１】
前記各パッチについて記述子を決定するステップは、
前記パッチに含まれる画素を表すベクトルを決定するステップをさらに含む請求項７に記載のコンピューター読み取り可能な媒体。
【請求項１２】
前記各記述子を記述子識別子にマッピングするステップは、それぞれの記述子識別子に関連付けられる１つ又は複数の代表的な記述子を含む量子化テーブルを使用し、各記述子はそれが一致するかほぼ一致する1つ又は複数の代表的な記述子にマッピングされる請求項７に記載のコンピューター読み取り可能な媒体。
【請求項１３】
１つ又は複数の前記記述子識別子を1つ又は複数のテキストの単語にマッピングするステップをさらに含む請求項７に記載のコンピューター読み取り可能な媒体。
【請求項１４】
有料の検索結果をアルゴリズムの画像ベースの検索結果と関連付ける方法であって、
検索クエリーを受信するステップと、
コンピューティングデバイスが前記検索クエリーに基づいて第１の組の記述子識別子を形成する複数の記述子識別子を識別するステップであって、各記述子識別子は画像ベースの関心のある点を記述する記述子に対応する、ステップと、
検索結果を生成するために、前記第１の組の記述子識別子を複数のインデックス付き画像に関連付けられる第２の組の記述子識別子と比較することにより、前記複数のインデックス付き画像を検索するステップであって、前記検索結果は、前記検索クエリーからの前記第１の組の記述子識別子からの記述子識別子と一致する各々の画像についてのある数の記述子識別子に基づいて選択される１つ又は複数の画像の組を含む、ステップと、
少なくとも１つの有料の検索結果を生成するために、少なくとも1つの有料の検索リストを前記第１の組の中の記述子識別子のうちの少なくとも１つと関連付けるステップと
を含む方法。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
フィルタホルダーを作業表面上に支持するための基部と、
前記基部に取り付けられる傾斜機構と、
傾斜軸において前記傾斜機構に取り付けられた保持アームであって、基端部と遠位端部とを含み、前記傾斜軸を中心にしてサービス位置及び人間工学的装荷位置まで傾斜可能である保持アームと、を備える、フィルタホルダー。
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
析出プロセスにおいて粒子を生成するための反応器であって、
反応室を画定するハウジング；
前記反応室内に２つ以上のステータを含む、ステータアセンブリ；
前記反応室内に２つ以上のロータを含むロータアセンブリであって、前記ステータアセンブリに対して、回転軸のまわりに回転するように構成された、前記ロータアセンブリ；
第１の反応物質を第１の半径方向位置において前記反応室に供給する第１の取入口；
第２の反応物質を、前記第１の半径方向位置と異なる第２の半径方向位置において前記反応室に供給する第２の取入口であって、前記第１および第２の反応物質が反応して前記反応室において粒子の析出を生成する、前記第２の取入口；および
前記反応室において形成された粒子を供給する、取出口を含む、前記反応器。
【請求項２】
ステータアセンブリが、少なくとも第１のステータおよび第２のステータを含み、ロータアセンブリが、少なくとも第１のロータ、第２のロータおよび第３のロータを含み、第１の取入口が、前記第１のロータの上流で反応室に第１の反応物質を供給するように位置しており、第２の取入口が、前記第２のステータの領域において前記反応室へ第２の反応物質を供給するように位置している、請求項１に記載の反応器。
【請求項３】
前記第１の反応物質が、前記第１のロータによって速度を上げられ、前記第１のステータおよび前記第２のロータによって小さな飛沫に縮小されるとともに、前記第２の取入口の下流で、前記第１の反応物質が前記第２の反応物質と反応する、請求項２に記載の反応器。
【請求項４】
ステータアセンブリが第３のステータをさらに含み、ロータアセンブリが第４のロータをさらに含み、前記第３のステータと前記第４のロータが、第１と第２の反応物質の反応によって形成される粒子の寸法を縮小する、請求項２または３に記載の反応器。
【請求項５】
第２の取入口が、反応室と連通する複数の開口を含み、前記開口はロータアセンブリの軸から間隔を空けられている、請求項１〜４のいずれか一項に記載の反応器。
【請求項６】
第２の取入口が、反応室と連通する数個の開口を含み、前記開口が、ロータアセンブリの回転の軸から等間隔に配置され、かつ回転の軸のまわりに等間隔で配置されている、請求項１〜４のいずれか一項に記載の反応器。
【請求項７】
第２の取入口が、第２のステータ内に複数の開口を含む、請求項２〜４のいずれか一項に記載の反応器。
【請求項８】
粒子が、反応室内において析出プロセスによって連続的に生成される、請求項１〜７のいずれか一項に記載の反応器。
【請求項９】
析出プロセスにおいて粒子を生成するための反応器システムであって、
反応室を包囲するハウジング、前記反応室内に少なくとも第１のステータおよび第２のステータを含む、ステータアセンブリ、前記反応室内に少なくとも第１のロータ、第２のロータおよび第３のロータを含む、ロータアセンブリ、前記第１のロータの上流で前記反応室に結合された、第１の取入口、前記第２のステータの領域において前記反応室に結合された、第２の取入口、および前記反応室の取出口を含む、反応器；
前記反応室内で、前記ステータアセンブリに対して前記ロータアセンブリを回転させるように構成された駆動機構；
前記反応器の前記第１の取入口に第１の反応物質を供給するように構成された第１の供給源；および
前記反応器の前記第２の取入口に第２の反応物質を供給するように構成された第２の供給源を含み、
前記第１の物質が、前記第１のロータによって速度を上げられ、前記第１のステータおよび前記第２のロータによって小さな飛沫に縮小されるとともに、前記第１の反応物質が、前記第２の取入口の下流で、前記第２の反応物質と反応して、反応室の取出口において、第１および第２の反応物質の反応によって形成される粒子となる、前記反応器システム。
【請求項１０】
第１の供給源が、第１のポンプを介して反応器の第１の取入口に結合された、第１のプロセス保持容器を含み、第２の供給源が、第２のポンプを介して反応器の第２の取入口に結合された、第２のプロセス保持容器を含む、請求項９に記載の反応器システム。
【請求項１１】
析出プロセスにおいて粒子を生成する方法であって、
反応室を有するとともに、２つ以上のステータを有するステータアセンブリと２つ以上のロータを有するロータアセンブリとを含む、反応器を準備すること；
前記ロータアセンブリを、前記ステータアセンブリに対して回転の軸のまわりに回転させること；
第１の反応物質を、第１の半径方向位置において前記反応室に供給すること；および
第２の反応物質を、第１の半径方向位置と異なる第２の半径方向位置において前記反応室に供給することを含み、前記反応室において前記第１および第２の反応物質が反応して粒子の析出を生成する、前記方法。
【請求項１２】
ステータアセンブリが、反応室内に少なくとも第１のステータおよび第２のステータを含み、ロータアセンブリが、反応室内に少なくとも第１のロータ、第２のロータおよび第３のロータを含み、前記第１の物質が、前記第１のロータによって速度を上げられ、前記第１のステータおよび前記第２のロータによって小さな飛沫に縮小されるとともに、前記第１の反応物質は、前記第２の取入口の下流で、前記第２の反応物質と反応して、前記反応室の取出口で、前記第１および第２の反応物質の反応によって形成される粒子となる、請求項１１に記載の方法。
【請求項１３】
第１の反応物質を供給することが、酢酸溶液を反応室の第１の取入口に供給することを含む、請求項１２に記載の方法。
【請求項１４】
第２の反応物質を供給することが、ＦＤＫＰ溶液を反応室の第２の取入口に供給することを含む、請求項１３に記載の方法。
【請求項１５】
第２の反応物質が、第２のステータ内の複数の開口を介して反応室に供給される、請求項１２に記載の方法。
【請求項１６】
第２のステータが、円形パターンの複数の歯を含み、第２の反応物質が、前記歯の内側の第２のステータを介して反応室に供給される、請求項１２に記載の方法。
【請求項１７】
第２のステータが、複数の半径方向開口を有する円形リングを含み、第２の反応物質が、前記円形リングの内側の第２のステータを介して反応室に供給される、請求項１２に記載の方法。
【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
正浸透分離方法であって、：
半透膜の第１の側に第１溶液を導入すること；
第１溶液の少なくとも１つの特性を検出すること；
アンモニア及び二酸化炭素を含む濃厚引出溶液について、少なくとも１つの検出された特性に基づいてモル比を選択すること；
アンモニア及び二酸化炭素を選択されたモル比で含む濃厚引出溶液を半透膜の第２の側に導入して半透膜を横切る所望の浸透濃度勾配を維持すること；
半透膜を横切る第１溶液の少なくとも一部の流れを促進して半透膜の第１の側に第２溶液を、半透膜の第２の側に希薄引出溶液を形成すること；
少なくとも一部の希薄引出溶液を分離操作に導入して引出溶質及び溶媒流を回収すること；
半透膜の第２の側に引出溶質を再導入して濃厚引出溶液中のアンモニア対二酸化炭素の選択されたモル比を維持すること；
溶媒流を収集すること、
を含む、前記分離方法。
【請求項２】
分離操作が引出溶質を濃厚引出溶液中に凝縮するように構成された吸収体を使用することを含む、請求項１に記載の方法。
【請求項３】
溶媒流、希薄引出溶液又は濃厚引出溶液の少なくとも１つが吸収体における吸収剤として使用される、請求項２に記載の方法。
【請求項４】
希薄引出溶液からの引出溶質の分離により生じたガス流をガス圧縮機又はスチームエダクターを使用して圧縮して濃厚引出溶液への引出溶質の再吸収を促進することをさらに含む、請求項１に記載の方法。
【請求項５】
触媒、試薬、消耗品、再利用可能材料、電気的エネルギー場又は磁気エネルギー場を使用して引出溶質の除去又は吸収を増進することをさらに含む、請求項１に記載の方法。
【請求項６】
機械的蒸気再圧縮、熱蒸気再圧縮、真空蒸留、スイープガス蒸留、パーベーパレーション又は密閉サイクル熱ポンプの少なくとも１つを分離操作に組み込むことによりプロセスエネルギーを減少させることをさらに含む、請求項１に記載の方法。
【請求項７】
種を添加されたスラリーを第１溶液に導入することをさらに含む、請求項１に記載の方法。
【請求項８】
第１溶液からの溶媒の浸透抽出のためのシステムであって、該システムが：
第１溶液源に流体接続された入口を有する第１チャンバー；
アンモニア及び二酸化炭素を少なくとも１対１のモル比で含む濃厚引出溶液源に流体接続された入口を有する第２チャンバー；
第１チャンバーを第２チャンバーから分離する半透膜システム；
蒸留カラムを含み、第２チャンバーの下流に流体接続された分離システムであって、希薄引出溶液を第２チャンバーから受け取り、引出溶質及び溶媒流を回収するように構成された分離システム；
引出溶質の第２チャンバーへの再導入を容易にして濃厚引出溶液中のアンモニア対二酸化炭素のモル比を維持するように構成された吸収体を含むリサイクルシステム、
を含む、前記システム。
【請求項９】
吸収体が充填カラム又は膜接触器を含む、請求項８に記載のシステム。
【請求項１０】
蒸留カラムが膜蒸留装置を含む、請求項８に記載のシステム。
【請求項１１】
リサイクルシステムが吸収体の下流に圧縮操作をさらに含んで引出溶質ガスの濃縮を増進し、該圧縮操作が、ガス圧縮機、スチームエダクター又は液体流エダクターの少なくとも１つを含むことができる、請求項８に記載のシステム。
【請求項１２】
分離操作が炭素隔離ループをさらに含んで引出溶質を吸収し、脱着し、該炭素隔離ループが引出溶質ガスの吸収を完結させ、その圧力を増加させてその濃厚引出溶液への吸収を促進するように構成される、請求項８に記載のシステム。
【請求項１３】
半透膜システムが第１溶液に浸漬された膜モジュールを含み、濃厚引出溶液が膜モジュールの内部を流れる、請求項８に記載のシステム。
【請求項１４】
半透膜システムがピラミッド状の膜モジュールの配置を含んで第１溶液の体積の減少及び濃厚引出溶液の体積の増加に適応し、該ピラミッド状の膜モジュールの配置は、向流配置において、引出溶液入口及び供給溶液出口の向きにより少ない膜モジュールが存在し、供給溶液入口及び引出溶液出口の向きにより多い膜モジュールが存在するように配置される、請求項８に記載のシステム。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
重なって絡まり合った複数の生体活性ガラス繊維とマトリクス全体に分散した複数の細孔とを含むマトリクスを含んでいる骨移植インプラントであって、
前記繊維は約５ナノメートル〜約１００マイクロメートルに及ぶ繊維径によって特徴付けられており、
前記細孔は約１００ナノメートル〜約１ミリメートルに及ぶ細孔径によって特徴付けられており、
前記インプラントは臨床的応用に適した形状に成形されていることを特徴とする骨移植インプラント。
【請求項２】
前記繊維は約５００ナノメートル〜約２０マイクロメートルに及ぶ直径を有することを特徴とする請求項１に記載の骨移植インプラント。
【請求項３】
前記繊維は均一な直径で特徴付けられる請求項１に記載の骨移植インプラント。
【請求項４】
前記細孔は均一な直径で特徴付けられる請求項１に記載の骨移植インプラント。
【請求項５】
前記マトリクスの全体に分散した複数の粒子をさらに含むことを特徴とする請求項１に記載の骨移植インプラント。
【請求項６】
前記粒子は、穿孔を備えた内腔を含んでいて前記インプラントに第２の範囲の細孔を提供し、前記マトリクスの複数の細孔は第１の範囲の細孔を提供することを特徴とする請求項５に記載の骨移植インプラント。
【請求項７】
前記粒子は、生体活性ガラス、硫化カルシウム、リン酸カルシウム、またはヒドロキシアパタイトを含むことを特徴とする請求項５に記載の骨移植インプラント。
【請求項８】
前記粒子は粗面を含むことを特徴とする請求項５に記載の骨移植インプラント。
【請求項９】
前記マトリクスの成分は抗菌性であることを特徴とする請求項１に記載の骨移植インプラント。
【請求項１０】
前記抗菌性の成分はアルカリであることを特徴とする請求項９に記載の骨移植インプラント。
【請求項１１】
前記ガラス繊維は、有機酸、鉱物カルシウム源、抗菌剤、抗ウイルス剤、ビタミン、グリセリン、コラーゲン、生理食塩水およびＸ線不透過剤を含む群から選択された１つ以上の被覆インプラントで、少なくとも部分的に被覆されていることを特徴とする請求項１に記載の骨移植インプラント。
【請求項１２】
前記マトリクスの全体に分散させた添加剤をさらに含み、
前記添加剤は、微量の元素、有機酸、鉱物カルシウム源、医薬品、抗菌剤、抗ウイルス剤、ビタミンおよびＸ線不透過剤を含む群から選択されることを特徴とする請求項１に記載の骨移植インプラント。
【請求項１３】
多孔質の前記マトリクスを横切る細孔勾配をさらに有することを特徴とする請求項１に記載の骨移植インプラント。
【請求項１４】
前記細孔勾配は、前記骨移植インプラントの一部分の吸収に対して可変的に影響を与えるように構成されていることを特徴とする請求項１３に記載の骨移植インプラント。
【請求項１５】
コラーゲンをさらに含むことを特徴とする請求項１に記載の骨移植インプラント。
【請求項１６】
前記インプラントはフォームの形態であることを特徴とする請求項１に記載の骨移植インプラント。
【請求項１７】
前記フォームは、ストリップ状、連続するロールシート状、スポンジ状、又は栓状であることを特徴とする請求項１６に記載の骨移植インプラント。
【請求項１８】
前記インプラントはパテ状であることを特徴とする請求項１に記載の骨移植インプラント。
【請求項１９】
前記繊維は、中空チューブ状であることを特徴とする請求項１に記載の骨移植インプラント。
【請求項２０】
リン酸カルシウムをさらに含むことを特徴とする請求項１に記載の骨移植インプラント。
【請求項２１】
前記リン酸カルシウムは多孔質であることを特徴とする請求項２０に記載の骨移植インプラント。
【請求項２２】
リン酸三カルシウムをさらに含むことを特徴とする請求項１に記載の骨移植インプラント。
【請求項２３】
前記リン酸三カルシウムは多孔質であることを特徴とする請求項２２に記載の骨移植インプラント。
【請求項２４】
銀をさらに含むことを特徴とする請求項１に記載の骨移植インプラント。
【請求項２５】
カルボキシメチルセルロースまたはアルギン酸ナトリウムをさらに含むことを特徴とする請求項１に記載の骨移植インプラント。
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
哺乳類対象の治療領域内の神経伝導を不活性化するための装置であって、
（ａ）前記治療領域外側の前記対象の身体と係合する治療用超音波変換器と、
（ｂ）治療的に有効な柔らかに集束された超音波エネルギーを少なくとも約１．０ｃｍ3の衝撃容積に伝達するように、前記治療用超音波変換器を作動させる作動装置と、
を含み、前記衝撃容積が、前記対象の前記治療領域を包含し、前記治療的に有効な柔らかに集束された超音波エネルギーが、前記衝撃容積の全体にわたって、神経の伝導を不活性化させるのに十分な強度である装置。
【請求項２】
前記治療用超音波変換器が、前記対象の皮膚に係合するように構成されている、請求項１に記載の装置。
【請求項３】
前記治療用変換器が、前記衝撃容積が前記対象の腎動脈を包含するように、前記対象の腎臓に隣接して前記対象の皮膚に係合するように構成されている、請求項２に記載の装置。
【請求項４】
前記治療領域を含む前記対象の身体の一部の画像を、前記治療用超音波変換器により共通の基準フレーム内に取得するイメージャと、前記衝撃容積の表現を重ねて前記取得された画像を表示するディスプレイとを更に含む、請求項１に記載の装置。
【請求項５】
前記イメージャが、超音波画像処理信号を送信しかつ前記対象の身体からエコーを受信する画像処理サブアセンブリを含み、前記画像処理サブアセンブリが、前記治療用超音波変換器に機械的に結合されており、前記画像処理サブアセンブリ及び前記治療用超音波変換器が変換器アセンブリを構成し、前記イメージャが、前記画像処理サブアセンブリから受信したエコーから前記画像を生成する、請求項４に記載の装置。
【請求項６】
前記治療用超音波変換器が、圧縮性の結合媒体を通して前記対象の皮膚に結合され、前記圧縮性の結合媒体を圧縮して前記対象内の前記衝撃容積を再位置決めできるように、前記治療用変換器に並べて配置された前記圧縮性の結合媒体を更に含む、請求項５に記載の装置。
【請求項７】
前記治療用変換器と前記画像処理サブアセンブリとの間の前記機械的結合が調節可能であり、前記装置が、前記画像処理サブアセンブリに対する前記治療用変換器の位置を感知しかつ前記イメージャに送信するためのセンサを更に含む、請求項５に記載の装置。
【請求項８】
前記治療用変換器が、柔らかに集束された超音波エネルギーを提供するように幾何学的に形成されている、請求項１に記載の装置。
【請求項９】
前記治療用変換器が、交換可能な超音波レンズを更に含む、請求項１に記載の装置。
【請求項１０】
前記治療用超音波変換器が、複数のエレメントを備えた位相配列変換器を含み、前記位相配列変換器の少なくとも１つのエレメントを作動させて超音波画像処理信号を送信して前記対象の身体からエコーを受信するために、前記位相配列変換器を作動させるようにして前記イメージャが構成及び配置されている、請求項４に記載の装置。
【請求項１１】
前記イメージャが、前記エコーを受信するために、前記位相配列の１つ以上の前記エレメントを制御する、請求項１０に記載の装置。
【請求項１２】
前記作動装置が、
（ａ）使用者が識別した治療領域と、使用者が識別した超音波エネルギー経路とを受け取り、
（ｂ）前記識別した治療領域と前記識別した超音波エネルギー経路とに基づいて、活性化シーケンスと変換器エレメントパワー出力とを決定し、
（ｃ）前記決定した活性化シークエンスと前記決定した変換器エレメントパワー出力とに基づいて、前記複数の変換器のエレメントから治療的に有効な柔らかに集束された超音波エネルギーを伝達するために前記位相配列を作動させる、
ように構成された制御コンピューターを含む、請求項１０に記載の装置。
【請求項１３】
約１０〜約１００ワットの音響パワーレベルで、約１０〜約３０秒間、治療的に有効な柔らかに集束された超音波エネルギーを伝達するように、前記作動装置が作動して前記治療用超音波変換器を制御する、請求項１に記載の装置。
【請求項１４】
前記治療的に有効な柔らかに集束された超音波エネルギーが、前記治療領域の温度を６５℃未満かつ４２℃以上にするように、前記作動装置が作動して前記治療用超音波変換器を制御する、請求項１に記載の装置。
【請求項１５】
前記イメージャが、画像処理超音波信号を送信しかつエコーを受信するように構成されており、前記治療的に有効な柔らかに集束された超音波エネルギーを前記画像処理信号と同期かつ交錯されたパルス関数で伝達するように、前記作動装置が作動して前記治療用超音波変換器を制御する、請求項４に記載の装置。
【請求項１６】
哺乳類対象の治療領域内の神経伝導を不活性化させるための装置であって、
（ａ）治療用超音波変換器と、
（ｂ）前記治療用超音波変換器を、前記治療領域から離れた前記対象の身体に結合するための手段と、
（ｃ）治療的に有効な柔らかに集束された超音波エネルギーを少なくとも約１．０ｃｍ3の衝撃容積に伝達するようにして、前記治療用超音波変換器を作動させるための手段と、
を含み、前記衝撃容積が、前記対象の前記治療領域を包含し、前記治療的に有効な柔らかに集束された超音波エネルギーが、前記衝撃容積の全体にわたって、神経の伝導を不活性化させるのに十分なレベルで加えられる装置。
【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
空気流をユーザーに送給して低空気圧高空気流量の事象を検出するように、電動ファン付き呼吸用保護具の送風器システムを制御する方法であって、前記システムは、電気モーターによって駆動され、濾過空気の強制的な流れをユーザーに送給するための電子制御ユニットによって制御されるファンを備え、かつ前記電子制御ユニットが、中に記憶された前記送風器システムの種々な特性に関して、許容動作範囲を規定する事象を表す複数のデータ点を有し、前記方法は、
前記送風器システムの動作状態を表す特性を標本抽出して、標本データ点を取得する工程と、
同じ特性に関して、前記標本データ点と、低空気圧高空気流量の事象を表す前記記憶されたデータ点とを比較する工程と、
一定期間にわたって前記標本抽出する工程を繰り返す工程と、前記比較する工程により、前記期間の大部分にわたって前記低空気圧高空気流量の事象が達成されたことを示す場合、
警報を起動する工程と、を含む方法。
【請求項２】
前記標本抽出される特性は、前記モーターにかかる電圧、前記モーターに流れる電流、前記モーターの速度、又はそれらの任意の組合わせのいずれかである、請求項１に記載の方法。
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
麻痺剤用の局所塗布装置であって、前記局所塗布装置が、
薬瓶ソケットと、
第１開口端と第２開口端とを有し、前記第１開口端が、前記薬瓶ソケットに取り外し可能に接続されている、筐体と、
前記筐体内に備え付けられた針接続口と、
前記針接続口に備え付けられた第１突き刺し端及び第２突き刺し端を有する針と、
頸部と底部とを有し、前記薬瓶ソケットに挿入されており、取り外し可能に接続された薬瓶ソケット中に取り外し不可能に保持されている、薬瓶と、
プランジャがその開口端を密閉している、カートリッジと、
前記カートリッジの反対側に位置する隔壁と、
前記薬瓶の隔壁及び前記カートリッジの隔壁に前記針を通し、前記薬瓶と前記カートリッジとの間で成分を移送するのを可能にする、作動蓋と
を含み、
前記薬瓶が、固体形態の麻痺剤を含み、前記カートリッジが、前記麻痺剤を再構成するための希釈剤を含む、局所塗布装置。
【請求項２】
麻痺剤が、ボツリヌス毒素、破傷風毒素、サキシトキシン、及びテトロドトキシンからなる群から選択される毒素を含む、請求項１に記載の局所塗布装置。
【請求項３】
麻痺剤が、ボツリヌス毒素を含む、請求項２に記載の局所塗布装置。
【請求項４】
麻痺剤が、ボツリヌス毒素血清型Ａ、Ｂ、Ｃ１、Ｄ、Ｅ、Ｆ、又はＧを含む、請求項３に記載の局所塗布装置。
【請求項５】
麻痺剤が、ボツリヌス毒素Ａ型を含む、請求項１に記載の局所塗布装置。
【請求項６】
希釈剤が、粘性調整剤を含む、請求項１〜５のいずれかに記載の局所塗布装置。
【請求項７】
粘性調整剤が、ポロキサマ、ポリアルコール、及びヒドロキシアルキルセルロースからなる群から選択される、請求項６に記載の局所塗布装置。
【請求項８】
粘性調整剤がポロキサマである、請求項７に記載の局所塗布装置。
【請求項９】
ポロキサマが、ポロキサマ１０１、ポロキサマ１０５、ポロキサマ１０８、ポロキサマ１２２、ポロキサマ１２３、ポロキサマ１２４、ポロキサマ１８１、ポロキサマ１８２、ポロキサマ１８３、ポロキサマ１８４、ポロキサマ１８５、ポロキサマ１８８、ポロキサマ２１２、ポロキサマ２１５、ポロキサマ２１７、ポロキサマ２３１、ポロキサマ２３４、ポロキサマ２３５、ポロキサマ２３７、ポロキサマ２３８、ポロキサマ２８２、ポロキサマ２８４、ポロキサマ２８８、ポロキサマ３３１、ポロキサマ３３３、ポロキサマ３３４、ポロキサマ３３５、ポロキサマ３３８、ポロキサマ４０１、ポロキサマ４０２、ポロキサマ４０３、及びポロキサマ４０７からなる群から選択される、請求項８に記載の局所塗布装置。
【請求項１０】
粘性調整剤が、ポリアルコールである、請求項７に記載の局所塗布装置。
【請求項１１】
ポリアルコールが、ポリエチレングリコールである、請求項１０に記載の局所塗布装置。
【請求項１２】
粘性調整剤が、ヒドロキシアルキルセルロースである、請求項７に記載の局所塗布装置。
【請求項１３】
粘性調整剤が、ヒドロキシプロピルセルロース及びヒドロキシプロピルメチルセルロースからなる群から選択される、請求項１２に記載の局所塗布装置。
【請求項１４】
麻痺剤用の局所塗布装置であって、前記局所塗布装置が、
第１開口端と第２開口端とを有し、前記第１開口端が、薬瓶を収容するのに適している薬瓶ソケットに取り外し可能に接続されるように設定されている、筐体と、
前記筐体内に備え付けられた針接続口と、
前記針接続口に備え付けられた第１突き刺し端及び第２突き刺し端を有する針と、
プランジャがその開口端を密閉している、カートリッジと、
前記カートリッジの反対側に位置する隔壁と、
前記薬瓶の隔壁及び前記カートリッジの隔壁に前記針を通し、前記薬瓶と前記カートリッジとの間で成分を移送するのを可能にする、作動蓋と
を含み、
前記カートリッジが、麻痺剤と、前記麻痺剤を再構成するための希釈剤とを含み、
前記針接続口が、前記カートリッジの中身と、前記筐体の遠位端に接続される分与部材を流体的に接続する、局所塗布装置。
【請求項１５】
麻痺剤を治療が必要とされる患者の領域上に局所塗布するための局所塗布装置の作動方法であって、前記方法が、
請求項１〜１３のいずれかに記載の局所塗布装置の作動蓋を押して、薬瓶ソケット中に保持された薬瓶の隔壁及びカートリッジの隔壁に針を通すことにより、流体接続を設けることと、
プランジャを押して薬剤を前記薬瓶内に押しやり、任意選択で前記薬瓶を振ることにより、再構築された麻痺剤組成物を作り出すことと、
前記プランジャを引いて、前記再構成された麻痺剤を前記カートリッジ内に引き込むことと、
前記薬瓶ソケット及び薬瓶を取り除いて分与部材を露出させることと
を含む、方法。
【請求項１６】
麻痺剤が、ボツリヌス毒素を含む、請求項１５に記載の方法。
【請求項１７】
ボツリヌス毒素が、ボツリヌス毒素Ａ型神経毒素である、請求項１６に記載の方法。
【請求項１８】
希釈剤が、水、生理食塩水、又は医薬上許容される緩衝液である、請求項１５〜１７のいずれかに記載の方法。
【請求項１９】
希釈剤が、粘性調整剤を更に含む、請求項１５〜１７のいずれかに記載の方法。
【請求項２０】
粘性調整剤がポロキサマである、請求項１９に記載の方法。
【請求項２１】
ポロキサマが、ポロキサマ１０１、ポロキサマ１０５、ポロキサマ１０８、ポロキサマ１２２、ポロキサマ１２３、ポロキサマ１２４、ポロキサマ１８１、ポロキサマ１８２、ポロキサマ１８３、ポロキサマ１８４、ポロキサマ１８５、ポロキサマ１８８、ポロキサマ２１２、ポロキサマ２１５、ポロキサマ２１７、ポロキサマ２３１、ポロキサマ２３４、ポロキサマ２３５、ポロキサマ２３７、ポロキサマ２３８、ポロキサマ２８２、ポロキサマ２８４、ポロキサマ２８８、ポロキサマ３３１、ポロキサマ３３３、ポロキサマ３３４、ポロキサマ３３５、ポロキサマ３３８、ポロキサマ４０１、ポロキサマ４０２、ポロキサマ４０３、及びポロキサマ４０７からなる群から選択される、請求項２０に記載の方法。
【請求項２２】
再構成された麻痺剤が正荷電担体を含む、請求項１５に記載の方法。
【請求項２３】
正荷電担体が、ポリリジン又はポリアルキルイミンを含む、請求項２２に記載の方法。
【請求項２４】
正荷電担体が、アミノ酸配列、ＲＫＫＲＲＱＲＲＲ−Ｇ−（Ｋ）１５−Ｇ−ＲＫＫＲＲＱＲＲＲを有する、請求項２３に記載の方法。
【請求項２５】
治療を必要とする患者の領域が、顔面、腋窩、手のひら、手、足、腰、首、脚、鼠蹊部、腕、肘、膝、骨盤、臀部及び胴からなる群から選択される、請求項１５〜２４のいずれかに記載の方法。
【請求項２６】
治療を必要とする患者の領域が顔面であり、再構成された麻痺組成物が、ボツリヌス毒素Ａ型を含み、前記再構成された麻痺組成物が、皺の現れを低減するのに利用される、請求項２５に記載の方法。
【請求項２７】
皺が、マリオネットライン、鼻唇溝、目じりの小皺、眉の小皺、眉間の皺、及びそれらの組み合わせからなる群から選択される、請求項２６に記載の方法。
【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
移植可能な医療器具のための、第１端部及び第２端部を含む多層フィードスルーであって、
前記フィードスルーの前記第１端部に対応する第１端部と、当該フィードスルーの前記第２端部に対応する第２端部と、基板長さと、第１面と、当該第１面とは反対の第２面と、を有する基板と、
前記第１面上に形成され、前記基板長さに沿って延在する、第１の複数のトレースと、
前記第２面上に形成され、前記基板長さに沿って延在する、第２の複数のトレースと、
前記第１の複数のトレースと電気的に結合された第１の複数の接触パッドと、
前記第２の複数のトレースと電気的に結合された第２の複数の接触パッドと、
前記第１面と前記第１の複数のトレースとの上に形成された第１絶縁層と、
前記第２面と前記第２の複数のトレースとの上に形成された第２絶縁層と、
第１接地面層と、
第２接地面層と、
を備え、
前記第１の複数の接触パッド及び第２の複数の接触パッドは、前記フィードスルーの前記第１端部及び前記第２端部に延在する、多層フィードスルー。
【請求項２】
請求項１に記載の多層フィードスルーにおいて、
前記基板の前記第１面上に形成された統合型トランシーバを更に備える、多層フィードスルー。
【請求項３】
請求項２に記載の多層フィードスルーにおいて、
前記第１の複数のトレースは、前記統合型トランシーバのための少なくとも１つの動力線と少なくとも１つの信号線とを含む、多層フィードスルー。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
液体薬剤の自動アプリケータであり、交換可能容器から設定投与量の液体薬剤を複数回注射投与する自動アプリケータであって、
液体薬剤を含む交換可能容器のハウジング（２）に接続され、前記液体薬剤を押し出すプランジャ（１２）を有する円筒形本体ハウジング（１）を有し、
前記プランジャ（１２）は、該プランジャ（１２）の固定、駆動、直線誘導、回転阻止を行う組み込み駆動ユニットによって直線的にのみ移動し、前記円筒形本体ハウジング（１）内に配置されている張力バネ（１５）によって、二段動作クラッチを介して駆動され、
前記張力バネ（１５）は、前記二段動作クラッチを介して、回転式手動投与量設定リング（３）により付勢され、
前記組み込み駆動ユニットは、始動ユニット（１３）によって作動され、投与量は表示機構によって表示され、
前記円筒形本体ハウジング（１）の内側部分に配置された少なくとも１つのキー（１．３）と協働する、ラチェット筒（５）の上部に配置された少なくとも１つの固定キー（５．６）を備えることを特徴とする、自動アプリケータ。
【請求項２】
前記液体薬剤はインシュリンであることを特徴とする、請求項１に記載の自動アプリケータ。
【請求項３】
前記円筒形本体ハウジング（１）の円筒面の内側部分でのぞき窓（１．１）の上に配置された２つのキー（１．３）と協働する、前記ラチェット筒（５）の周面上に直接配置された２つの固定キー（５．６）を有することを特徴とする、請求項１に記載の自動アプリケータ。
【請求項４】
前記組み込み駆動ユニットは、台座要素（９）内に荷重を受けるように取り付けられたナット（７）を有することを特徴とする、請求項１に記載の自動アプリケータ。
【請求項５】
前記ナット（７）は、ボールベアリング（８）によって、前記台座要素（９）内に荷重を受けるように取り付けられる、請求項４に記載の自動アプリケータ。
【請求項６】
前記表示機構は、前記円筒形本体ハウジング（１）にあるのぞき窓（１．１）の下で、前記ラチェット筒（５）の前記固定キー（５．６）の下の円筒部分に直線的に配置された目盛り（５．７）を備えることを特徴とする、請求項１に記載の自動アプリケータ。
【請求項７】
前記組み込み駆動ユニットは、プランジャ固定ガイド（１１）とナット（７）を有することを特徴とする、請求項１に記載の自動アプリケータ。
【請求項８】
前記プランジャ固定ガイド（１１）は、前記交換可能容器の前記ハウジング（２）によって押し付けられている、台座要素（９）の歯付きリング内に固定されていることを特徴とする、請求項７に記載の自動アプリケータ。
【請求項９】
前記張力バネ（１５）はねじりバネであることを特徴とする、請求項１に記載の自動アプリケータ。
【請求項１０】
前記始動ユニット（１３）の直下にバネ（１４）が配置されていることを特徴とする、請求項１に記載の自動アプリケータ。